(57)【要約】【課題】ある区域を撮像して監視し、その区域にて特定の事象が発生したことを信憑性の高い情報として記録する。【解決手段】撮像部２０１は、倉庫内の特定の区画等を時系列に撮像して画像を生成する。認証コード取得部２０２は、撮像部２０１が生成する画像の変化を分析し、当該分析結果に基づき、倉庫内の特定の区画等に置かれた品物の在庫量の変化があったかどうかを判定する。認証コード取得部２０２は、分析した変化後の画像の撮像時刻を認証する認証コードを認証装置に発行させて当該認証コードを取得する。情報管理部２０３は、認証コード取得部２０２があったと判定した在庫量の変化の量を記録したデータと、認証コード取得部２０２が取得した認証コードと、当該認証コードによって認証される時刻を品物の在庫量の変化があった時刻として示す情報とを対応付けて記憶装置２５２に保管する。【選択図】図２
2011061586.tif 000002
【特許請求の範囲】
【請求項１】
現在時刻を認証する認証コードを発行する認証装置と、
所定の区域を時系列に撮像して画像を生成する撮像部と、前記撮像部が生成する画像の変化を分析し、当該分析結果に基づき、前記所定の区域にて特定の事象が発生したか否かを処理装置により判定し、当該事象が発生したと判定した場合、当該変化後の画像の撮像時刻を認証する認証コードを前記認証装置に発行させて当該認証コードを取得する認証コード取得部と、前記認証コード取得部が発生したと判定した事象を記録した事象情報と、前記認証コード取得部が取得した認証コードと、当該認証コードによって認証される時刻を当該事象の発生時刻として示す発生時刻情報とを対応付けて記憶装置に保管する情報管理部とを有する管理装置とを備えることを特徴とする情報管理システム。
【請求項２】
前記管理装置の認証コード取得部は、前記特定の事象として前記所定の区域に置かれた品物の在庫量の変化があったかどうかを前記処理装置により判定し、
前記管理装置の情報管理部は、前記事象情報として前記認証コード取得部があったと判定した在庫量の変化の量を記録したデータを前記記憶装置に保管することを特徴とする請求項１に記載の情報管理システム。
【請求項３】
前記管理装置の認証コード取得部は、前記特定の事象が発生したと判定した場合、当該変化後の画像の撮像時刻を認証する認証コードの発行を前記認証装置へ要求して前記認証装置から発行された認証コードを取得し、当該変化後の画像を当該認証コードとともに前記認証装置へ送信し、
前記認証装置は、前記管理装置から送信された画像と認証コードとを受信し、当該画像を受信した時刻と当該認証コードによって認証される時刻との差が予め定められた制限時間以下である場合、当該画像と当該認証コードによって認証される時刻を示す認証時刻情報とを当該認証コードに対応付けてデータベースに保管し、当該認証コードによる問い合わせが入力された場合、当該認証コードに対応付けて前記データベースに保管した画像と当該認証コードの認証時刻情報とを出力することを特徴とする請求項１又は２に記載の情報管理システム。
【請求項４】
前記認証装置は、現在時刻を示す認証時刻情報と現在時刻にしか得られない一意の特定情報とを合成したデータのハッシュ値を認証コードとして発行することを特徴とする請求項１から３までのいずれかに記載の情報管理システム。
【請求項５】
認証コードは、さらに、当該認証コードによって認証される時刻における前記管理装置の位置を認証するものであることを特徴とする請求項１から４までのいずれかに記載の情報管理システム。
【請求項６】
現在時刻を認証する認証コードを発行する認証装置と通信を行う管理装置であって、
所定の区域を時系列に撮像して画像を生成する撮像部と、
前記撮像部が生成する画像の変化を分析し、当該分析結果に基づき、前記所定の区域にて特定の事象が発生したか否かを処理装置により判定し、当該事象が発生したと判定した場合、当該変化後の画像の撮像時刻を認証する認証コードを前記認証装置に発行させて当該認証コードを取得する認証コード取得部と、
前記認証コード取得部が発生したと判定した事象を記録した事象情報と、前記認証コード取得部が取得した認証コードと、当該認証コードによって認証される時刻を当該事象の発生時刻として示す発生時刻情報とを対応付けて記憶装置に保管する情報管理部とを有することを特徴とする管理装置。
【請求項７】
現在時刻を認証する認証コードを発行する認証装置と通信を行う管理プログラムであって、
所定の区域を時系列に撮像して画像を生成する撮像処理と、
前記撮像処理が生成する画像の変化を分析し、当該分析結果に基づき、前記所定の区域にて特定の事象が発生したか否かを処理装置により判定し、当該事象が発生したと判定した場合、当該変化後の画像の撮像時刻を認証する認証コードを前記認証装置に発行させて当該認証コードを取得する認証コード取得処理と、
前記認証コード取得処理が発生したと判定した事象を記録した事象情報と、前記認証コード取得処理が取得した認証コードと、当該認証コードによって認証される時刻を当該事象の発生時刻として示す発生時刻情報とを対応付けて記憶装置に保管する情報管理処理とをコンピュータに実行させることを特徴とする管理プログラム。
【発明の詳細な説明】
【技術分野】
【０００１】
本発明は、情報管理システム及び管理装置及び管理プログラムに関するものである。本発明は、特に、監視カメラを用いて動産・債権担保融資（ＡＢＬ）のためのモニタリングを行う手法に関するものである。
【背景技術】
【０００２】
従来、モニタカメラの撮像信号をデジタル処理し、倉庫内の分画された格納番地ごとの商品在庫を判定する装置が公知である（例えば、特許文献１参照）。
【０００３】
写真の撮影時刻や撮影位置を認証するサービスとして、ＣＯＣＯ−ＤＡＴＥＳ（登録商標）が提供されている（例えば、非特許文献１参照）。このサービスは、認証したい時刻における気象画像（雲の形）と認証したい位置におけるＧＰＳ（Ｇｌｏｂａｌ・Ｐｏｓｉｔｉｏｎｉｎｇ・Ｓｙｓｔｅｍ）衛星からの測位情報（緯度・経度）とを組み合わせてハッシュ関数によりコード化することで、時刻及び位置を認証する認証コードを発行するものである。
【０００４】
動産・債権担保融資（ＡＢＬ）では、担保力のある不動産を保有していない中小企業等であっても、動産（例えば、在庫、機械設備、農畜産物）や債権（例えば、売掛金）等の資産を担保として資金融資を受けることができる。動産や債権等は内容が日々変動するものであるため、融資元の金融機関等は担保資産の内容を頻繁にモニタリングしなければならないが、担当者が直接現地を訪問してモニタリングを行うのでは非常に手間がかかる。そこで、モニタリングを効率化するシステムとして、ＣＯＣＯ−ＤＡＴＥＳ（登録商標）を利用する動産・債権担保融資モニタリング・システムが開発された（例えば、非特許文献２参照）。
【０００５】
動産・債権担保融資モニタリング・システムでは、例えば、債務者は携帯電話機で担保資産の写真を撮影する。このとき、債務者は携帯電話機でＣＯＣＯ−ＤＡＴＥＳ（登録商標）を利用して写真の撮影時刻及び撮影位置を認証する認証コードを取得する。そして、認証コードを付加した写真を金融機関の担当者に送信する。担当者は写真を受信すると、ＣＯＣＯ−ＤＡＴＥＳ（登録商標）を利用して写真の撮影時刻及び撮影位置を確認し、写真が不正に撮影されたものでないかチェックする。その上で写真を見て担保資産の現況を判断することにより、現地調査に出向かなくともモニタリングを行うことができる。
【先行技術文献】
【特許文献】
【０００６】
【特許文献１】特開平１０−１９４４１１号公報
【非特許文献】
【０００７】
【非特許文献１】「位置時間証明情報提供サービス  ＣＯＣＯ−ＤＡＴＥＳ」、三菱電機株式会社、インターネット＜ＵＲＬ：ｈｔｔｐ：／／ｗｗｗ．ｍｉｔｓｕｂｉｓｈｉｅｌｅｃｔｒｉｃ．ｃｏ．ｊｐ／ｃｏｃｏ−ｄａｔｅｓ／＞
【非特許文献２】「技術論文  ２００９年１月発表  動産・債権担保融資モニタリング・システム  ｜  ＭＤＩＳ」、平成２１年１月、三菱電機インフォメーションシステムズ株式会社、インターネット＜ＵＲＬ：ｈｔｔｐ：／／ｗｗｗ．ｍｄｉｓ．ｃｏ．ｊｐ／ｃｏｍｐａｎｙ／ｔｅｃｈｐａｐｅｒ／２００９／０９０１＿ａｂｌｍｓ．ｈｔｍｌ＞
【発明の概要】
【発明が解決しようとする課題】
【０００８】
動産・債権担保融資（ＡＢＬ）のためのモニタリングでは、担保資産の内容を金融機関の担当者が定期的にチェックするが、動産や債権等は内容が日々変動するため、モニタリングの頻度が十分でないという課題があった。また、どれくらい変動したかを人間が見て判断しているため、定性的な判断になっているという課題があった。従来のモニタカメラを用いて商品在庫を判定する装置では、過去の商品在庫に関する情報の信憑性が十分でないという課題があった。
【０００９】
本発明は、例えば、ある区域を撮像して監視し、その区域にて特定の事象が発生したことを信憑性の高い情報として記録することを目的とする。
【課題を解決するための手段】
【００１０】
本発明の一の態様に係る情報管理システムは、
現在時刻を認証する認証コードを発行する認証装置と、
所定の区域を時系列に撮像して画像を生成する撮像部と、前記撮像部が生成する画像の変化を分析し、当該分析結果に基づき、前記所定の区域にて特定の事象が発生したか否かを処理装置により判定し、当該事象が発生したと判定した場合、当該変化後の画像の撮像時刻を認証する認証コードを前記認証装置に発行させて当該認証コードを取得する認証コード取得部と、前記認証コード取得部が発生したと判定した事象を記録した事象情報と、前記認証コード取得部が取得した認証コードと、当該認証コードによって認証される時刻を当該事象の発生時刻として示す発生時刻情報とを対応付けて記憶装置に保管する情報管理部とを有する管理装置とを備えることを特徴とする。
【００１１】
前記管理装置の認証コード取得部は、前記特定の事象として前記所定の区域に置かれた品物の在庫量の変化があったかどうかを前記処理装置により判定し、
前記管理装置の情報管理部は、前記事象情報として前記認証コード取得部があったと判定した在庫量の変化の量を記録したデータを前記記憶装置に保管することを特徴とする。
【００１２】
前記管理装置の認証コード取得部は、前記特定の事象が発生したと判定した場合、当該変化後の画像の撮像時刻を認証する認証コードの発行を前記認証装置へ要求して前記認証装置から発行された認証コードを取得し、当該変化後の画像を当該認証コードとともに前記認証装置へ送信し、
前記認証装置は、前記管理装置から送信された画像と認証コードとを受信し、当該画像を受信した時刻と当該認証コードによって認証される時刻との差が予め定められた制限時間以下である場合、当該画像と当該認証コードによって認証される時刻を示す認証時刻情報とを当該認証コードに対応付けてデータベースに保管し、当該認証コードによる問い合わせが入力された場合、当該認証コードに対応付けて前記データベースに保管した画像と当該認証コードの認証時刻情報とを出力することを特徴とする。
【００１３】
前記認証装置は、現在時刻を示す認証時刻情報と現在時刻にしか得られない一意の特定情報とを合成したデータのハッシュ値を認証コードとして発行することを特徴とする。
【００１４】
認証コードは、さらに、当該認証コードによって認証される時刻における前記管理装置の位置を認証するものであることを特徴とする。
【００１５】
本発明の一の態様に係る管理装置は、
現在時刻を認証する認証コードを発行する認証装置と通信を行う管理装置であって、
所定の区域を時系列に撮像して画像を生成する撮像部と、
前記撮像部が生成する画像の変化を分析し、当該分析結果に基づき、前記所定の区域にて特定の事象が発生したか否かを処理装置により判定し、当該事象が発生したと判定した場合、当該変化後の画像の撮像時刻を認証する認証コードを前記認証装置に発行させて当該認証コードを取得する認証コード取得部と、
前記認証コード取得部が発生したと判定した事象を記録した事象情報と、前記認証コード取得部が取得した認証コードと、当該認証コードによって認証される時刻を当該事象の発生時刻として示す発生時刻情報とを対応付けて記憶装置に保管する情報管理部とを有することを特徴とする。
【００１６】
本発明の一の態様に係る管理プログラムは、
現在時刻を認証する認証コードを発行する認証装置と通信を行う管理プログラムであって、
所定の区域を時系列に撮像して画像を生成する撮像処理と、
前記撮像処理が生成する画像の変化を分析し、当該分析結果に基づき、前記所定の区域にて特定の事象が発生したか否かを処理装置により判定し、当該事象が発生したと判定した場合、当該変化後の画像の撮像時刻を認証する認証コードを前記認証装置に発行させて当該認証コードを取得する認証コード取得処理と、
前記認証コード取得処理が発生したと判定した事象を記録した事象情報と、前記認証コード取得処理が取得した認証コードと、当該認証コードによって認証される時刻を当該事象の発生時刻として示す発生時刻情報とを対応付けて記憶装置に保管する情報管理処理とをコンピュータに実行させることを特徴とする。
【発明の効果】
【００１７】
本発明の一の態様によれば、ある区域を撮像して監視し、その区域にて特定の事象が発生したことを信憑性の高い情報として記録することが可能となる。
【図面の簡単な説明】
【００１８】
【図１】実施の形態１に係る情報管理システムの構成を示す図である。
【図２】実施の形態１に係る管理装置の構成を示すブロック図である。
【図３】実施の形態１に係る管理装置のハードウェア構成の一例を示す図である。
【図４】実施の形態１に係る管理装置の動作を示すフローチャートである。
【発明を実施するための形態】
【００１９】
以下、本発明の実施の形態について、図を用いて説明する。
【００２０】
実施の形態１．
図１は、本実施の形態に係る情報管理システム１００の構成を示す図である。
【００２１】
図１において、情報管理システム１００は、管理装置２００、認証装置３００、ユーザ端末４００を備える。
【００２２】
管理装置２００と認証装置３００とユーザ端末４００とは、互いにインターネット等のネットワーク１０１を介して通信する。管理装置２００、認証装置３００、ユーザ端末４００は、それぞれ複数存在していても構わない。
【００２３】
管理装置２００は、例えばサーバコンピュータであり、監視カメラ１０２とＬＡＮ（Ｌｏｃａｌ・Ａｒｅａ・Ｎｅｔｗｏｒｋ）等で接続されている。監視カメラ１０２は、例えば、ある倉庫の内部に設置され、その倉庫内の特定の区画（所定の区域の一例）に保管されている箱詰めの冷凍エビ等の品物を常時撮影する。監視カメラ１０２は、複数設置されていても構わない。管理装置２００は、監視カメラ１０２により常時あるいは定期的に撮影される映像を、ＬＡＮ等を介して監視カメラ１０２から取得して蓄積する。管理装置２００は、映像を取得する度に、既に蓄積した映像と新たに取得した映像に対して画像処理を施し（例えば、前回取得した映像と今回取得した映像との差分を抽出して分析する）、品物の在庫の変化量を算出して時系列に事象情報として記録する。これによって、その品物の在庫状況を把握できる。監視カメラ１０２が複数設置されている場合には、管理装置２００は、監視カメラ１０２ごとに同様の動作を行い、各監視カメラ１０２により撮影される品物の在庫の変化量を算出して時系列に事象情報として記録する。
【００２４】
認証装置３００は、例えばサーバコンピュータであり、データベース３０１を備えている。なお、データベース３０１は認証装置３００の外部に設置されていてもよく、その場合、認証装置３００は、データベース３０１とＬＡＮやＶＰＮ（Ｖｉｒｔｕａｌ・Ｐｒｉｖａｔｅ・Ｎｅｔｗｏｒｋ）等で接続される。認証装置３００は、例えば、管理装置２００からの要求に応じて、管理装置２００に対し、現在時刻を認証する認証コードを発行する。そして、認証装置３００は、発行した認証コードに対応するデータを管理装置２００に送信させる。認証装置３００は、そのデータを、ネットワーク１０１を介して管理装置２００から受信し、認証コードに対応付けてデータベース３０１に保管する。これによって、そのデータが存在していた時刻を認証することができる。
【００２５】
本実施の形態では、管理装置２００は、品物の在庫の変化量を算出した際に、変化量が０でなかった場合、即ち、品物の在庫量の変化を検出した場合、認証装置３００から認証コードを取得する。具体的には、まず、管理装置２００は、ネットワーク１０１を介して認証装置３００に対し、認証コードの発行を要求する。認証装置３００は、管理装置２００からの要求を受け付けると、現在時刻を示す認証時刻情報と現在時刻にしか得られない一意の特定情報とを合成して合成データを生成する。認証時刻情報としては、例えば、内蔵時計から得られる現在の時刻データ、あるいは、ＮＩＣＴ（情報通信研究機構）の時刻サーバ等から得られる国家標準時のデータを用いることができる。特定情報としては、例えば、気象庁や日本気象協会のサーバ等から得られる、現在時刻における気象衛星画像（雲の画像）のデータを用いることができる。認証装置３００は、このようなデータを合成した合成データのハッシュ値を算出し、算出したハッシュ値を認証コードとして、ネットワーク１０１を介して管理装置２００に送信する。このとき、認証装置３００は、認証時刻情報と特定情報とを認証コードに対応付けてメモリ等の記憶媒体に記憶しておく。管理装置２００は、認証装置３００から送信された認証コードを受信すると、当該受信時点から予め定められた制限時間（例えば、１分）以内に、監視カメラ１０２から取得した映像（静止画像）を、認証装置３００から受信した認証コードとともに、ネットワーク１０１を介して認証装置３００に送信する。認証装置３００は、管理装置２００から送信された映像と認証コードを受信すると、受信した認証コードに対応する認証時刻情報を記憶媒体から読み取り、読み取った認証時刻情報が示す時刻と管理装置２００から映像を受信した時刻との差を計算する。認証装置３００は、計算した差が上記制限時間以下である場合、管理装置２００から受信した映像は正規の映像であると判断し、この映像と記憶媒体から読み取った認証時刻情報を、管理装置２００から受信した認証コードに対応付けてデータベース３０１に保管する。これによって、認証コードにより映像の撮影時刻を認証することができる。
【００２６】
なお、管理装置２００が認証装置３００に送信する映像は、管理装置２００が品物の在庫量の変化を検出した映像（直前に監視カメラ１０２から取得した映像）であってもよいし、管理装置２００が品物の在庫量の変化を検出した後に監視カメラ１０２から取得した映像であってもよいが、管理装置２００が品物の在庫量の変化を検出した後、さらに、認証装置３００から認証コードを受信した後に監視カメラ１０２から取得した映像に制限することが望ましい。つまり、管理装置２００が、認証装置３００から認証コードを受信した後に監視カメラ１０２により撮影され監視カメラ１０２から取得した映像しか認証装置３００に送信できないようにすることが望ましい。このような制限を設けることで、認証コードによる映像の撮影時刻の証明力を向上させることができる。さらに、管理装置２００が、認証装置３００から認証コードを受信した時点から上記制限時間が経過するまでの間に監視カメラ１０２により撮影され監視カメラ１０２から取得した映像しか認証装置３００に送信できないようにしてもよい。こうすることで、認証コードによる映像の撮影時刻の証明力をより一層向上させることができる。
【００２７】
管理装置２００は、品物の在庫量に変化があったこと（変化量）を示す事象情報、その変化があった時点において監視カメラ１０２により撮影された映像、その映像の撮影時刻、その撮影時刻を認証する認証コード等を対応付けて記録する。そして、管理装置２００は、記録した事象情報に基づき、品物の在庫量の推移等をビジュアル化したグラフを作成する。また、管理装置２００は、記録した事象情報、その事象情報から作成したグラフ、その事象情報に対応する映像、撮影時刻、認証コード等を載せた報告書を定期的に作成する。
【００２８】
ユーザ端末４００は、例えばＰＣ（パーソナルコンピュータ）や携帯通信端末である。ユーザ端末４００は、管理装置２００が作成するグラフ、あるいは、管理装置２００が定期的に作成する報告書を、ネットワーク１０１を介して管理装置２００から受信する。そして、ユーザ端末４００は、受信したグラフや報告書を画面に表示したり、印刷したりする。これによって、ユーザは品物の在庫状況や在庫量の推移等を確認することができる。
【００２９】
本実施の形態では、ユーザ端末４００は、管理装置２００から受信した報告書に載っている認証コードによりネットワーク１０１を介して認証装置３００に問い合わせを行い、その認証コードに対応する映像や認証時刻情報を取得する。具体的には、ユーザ端末４００は、管理装置２００から報告書を受信すると、受信した報告書に載っている映像、撮影時刻、認証コード等を読み取る。そして、ユーザ端末４００は、読み取った認証コードを、ネットワーク１０１を介して認証装置３００に送信する。認証装置３００は、ユーザ端末４００から送信された認証コードを受信し、受信した認証コードに対応する映像と認証時刻情報をデータベース３０１から抽出する。そして、認証装置３００は、抽出した映像と認証時刻情報を、ネットワーク１０１を介してユーザ端末４００に返信する。ユーザ端末４００は、認証装置３００から返信された映像と認証時刻情報を受信して画面に表示する。これによって、ユーザは報告書に載っている映像が改竄されていないかどうか、報告書に載っている撮影時刻が正しいかどうかを確認することができる。
【００３０】
情報管理システム１００は、例えば、動産・債権担保融資（ＡＢＬ）に活用することができる。従来、ＡＢＬのためのモニタリングでは、担保資産の内容を金融機関の担当者が定期的にチェックしているが、動産や債権等は内容が日々変動するため、モニタリングの頻度が十分でなかった。これに対し、情報管理システム１００において、ＡＢＬで担保にされた集合動産を監視カメラ１０２により常時撮影することで、集合動産の在庫状況を２４時間３６５日監視することが可能となる。また、従来は、動産や債権等の内容がどれくらい変動したかを人間が見て判断しているため、定性的な判断になっていた。これに対し、情報管理システム１００において、集合動産の在庫の変化量を算出して時系列に記録することで、定量的な情報を得ることができる。また、従来、ＡＢＬのためのモニタリングの報告書は、手書きにより作成されていたが、情報管理システム１００では、報告書を自動的に作成することができる。
【００３１】
本実施の形態の変形例として、監視カメラ１０２は、ある店舗の内部に設置され、その店舗内の陳列棚（所定の区域の一例）に並べられている時計等の品物を常時撮影するようにしてもよい。この例においても、管理装置２００は、監視カメラ１０２から取得した映像に対して画像処理を施し、品物の数等の変化量を算出して時系列に記録する。
【００３２】
また、本実施の形態の変形例として、監視カメラ１０２は、ある工場における製品の製造・加工ライン（所定の区域の一例）ごとに設置され、各監視カメラ１０２が、それぞれのラインで扱われる品物（例えば、原材料、仕掛品、半製品、完成品）を常時撮影するようにしてもよい。この例においても、管理装置２００は、各監視カメラ１０２から取得した映像に対して画像処理を施し、各ラインで扱われる品物の数等の変化量を算出して時系列に記録する。
【００３３】
また、本実施の形態の変形例として、認証装置３００は、管理装置２００から送信された映像と認証コードを受信すると、受信した認証コードに対応する認証時刻情報だけでなく、同じ認証コードに対応する特定情報も記憶媒体から読み取るようにしてもよい。この例において、認証装置３００は、読み取った認証時刻情報が示す時刻と管理装置２００から映像を受信した時刻との差が上記制限時間以下である場合、管理装置２００から受信した映像と記憶媒体から読み取った認証時刻情報だけでなく、記憶媒体から読み取った特定情報も、管理装置２００から受信した認証コードに対応付けてデータベース３０１に保管する。認証装置３００は、ユーザ端末４００から送信された認証コードを受信すると、受信した認証コードに対応する映像と認証時刻情報と特定情報をデータベース３０１から抽出する。そして、認証装置３００は、抽出した映像と認証時刻情報と特定情報を、ネットワーク１０１を介してユーザ端末４００に返信する。ユーザ端末４００は、認証装置３００から返信された映像と認証時刻情報と特定情報を受信して画面に表示する。これによって、ユーザは報告書に載っている撮影時刻が正しいかどうかを、より確実に検証することができる。
【００３４】
また、本実施の形態の変形例として、管理装置２００は、ＡＢＬの融資先（中小企業等）の売掛債権情報を蓄積し、この売掛債権情報をユーザ端末４００に送信するようにしてもよい。この例において、ユーザ端末４００は、管理装置２００が作成するグラフや報告書とともに、管理装置２００が蓄積する売掛債権情報を、ネットワーク１０１を介して管理装置２００から受信する。そして、ユーザ端末４００は、受信したグラフや報告書とともに売掛債権情報を画面に表示したり、印刷したりする。これによって、ユーザ（融資元の金融機関等の担当者）は売掛債権情報と品物の在庫の変化量とを比較して、融資先における実際の運営状況を把握することができる。
【００３５】
図２は、管理装置２００の構成を示すブロック図である。
【００３６】
図２において、管理装置２００は、撮像部２０１、認証コード取得部２０２、情報管理部２０３を有する。管理装置２００の各部の動作については後述する。
【００３７】
管理装置２００は、処理装置２５１、記憶装置２５２、入力装置２５３、出力装置２５４等のハードウェアを具備する。ハードウェアは管理装置２００の各部によって利用される。例えば、処理装置２５１は、管理装置２００の各部でデータや情報の演算、加工、読み取り、書き込み等を行うために利用される。記憶装置２５２は、そのデータや情報を記憶するために利用される。また、入力装置２５３は、そのデータや情報を入力するために、出力装置２５４は、そのデータや情報を出力するために利用される。
【００３８】
図３は、管理装置２００のハードウェア構成の一例を示す図である。
【００３９】
図３において、管理装置２００は、コンピュータであり、ＬＣＤ９０１（Ｌｉｑｕｉｄ・Ｃｒｙｓｔａｌ・Ｄｉｓｐｌａｙ）、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ９０６といったハードウェアデバイスを備えている。これらのハードウェアデバイスはケーブルや信号線で接続されている。ＬＣＤ９０１の代わりに、ＣＲＴ（Ｃａｔｈｏｄｅ・Ｒａｙ・Ｔｕｂｅ）、あるいは、その他の表示装置が用いられてもよい。マウス９０３の代わりに、タッチパネル、タッチパッド、トラックボール、ペンタブレット、あるいは、その他のポインティングデバイスが用いられてもよい。
【００４０】
管理装置２００は、プログラムを実行するＣＰＵ９１１（Ｃｅｎｔｒａｌ・Ｐｒｏｃｅｓｓｉｎｇ・Ｕｎｉｔ）を備えている。ＣＰＵ９１１は、処理装置２５１の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、ＬＣＤ９０１、キーボード９０２、マウス９０３、ＦＤＤ９０４、ＣＤＤ９０５、プリンタ９０６、ＨＤＤ９２０（Ｈａｒｄ・Ｄｉｓｋ・Ｄｒｉｖｅ）と接続され、これらのハードウェアデバイスを制御する。ＨＤＤ９２０の代わりに、フラッシュメモリ、光ディスク装置、メモリカードリーダライタ又はその他の記憶媒体が用いられてもよい。
【００４１】
ＲＡＭ９１４は、揮発性メモリの一例である。ＲＯＭ９１３、ＦＤＤ９０４、ＣＤＤ９０５、ＨＤＤ９２０は、不揮発性メモリの一例である。これらは、記憶装置２５２の一例である。通信ボード９１５、キーボード９０２、マウス９０３、ＦＤＤ９０４、ＣＤＤ９０５は、入力装置２５３の一例である。また、通信ボード９１５、ＬＣＤ９０１、プリンタ９０６は、出力装置２５４の一例である。
【００４２】
通信ボード９１５は、ＬＡＮ等に接続されている。通信ボード９１５は、ＬＡＮに限らず、ＩＰ（Ｉｎｔｅｒｎｅｔ・Ｐｒｏｔｏｃｏｌ）−ＶＰＮ、広域ＬＡＮ、ＡＴＭ（Ａｓｙｎｃｈｒｏｎｏｕｓ・Ｔｒａｎｓｆｅｒ・Ｍｏｄｅ）ネットワークといったＷＡＮ（Ｗｉｄｅ・Ａｒｅａ・Ｎｅｔｗｏｒｋ）、あるいは、インターネットに接続されていても構わない。ＬＡＮ、ＷＡＮ、インターネットは、ネットワーク１０１の一例である。
【００４３】
ＨＤＤ９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」として説明する機能を実行するプログラムが含まれている。プログラムは、ＣＰＵ９１１により読み出され実行される。ファイル群９２４には、本実施の形態の説明において、「〜データ」、「〜情報」、「〜ＩＤ（識別子）」、「〜フラグ」、「〜結果」として説明するデータや情報や信号値や変数値やパラメータが、「〜ファイル」や「〜データベース」や「〜テーブル」の各項目として含まれている。「〜ファイル」や「〜データベース」や「〜テーブル」は、ＲＡＭ９１４やＨＤＤ９２０等の記憶媒体に記憶される。ＲＡＭ９１４やＨＤＤ９２０等の記憶媒体に記憶されたデータや情報や信号値や変数値やパラメータは、読み書き回路を介してＣＰＵ９１１によりメインメモリやキャッシュメモリに読み出され、抽出、検索、参照、比較、演算、計算、制御、出力、印刷、表示といったＣＰＵ９１１の処理（動作）に用いられる。抽出、検索、参照、比較、演算、計算、制御、出力、印刷、表示といったＣＰＵ９１１の処理中、データや情報や信号値や変数値やパラメータは、メインメモリやキャッシュメモリやバッファメモリに一時的に記憶される。
【００４４】
本実施の形態の説明において用いるブロック図やフローチャートの矢印の部分は主としてデータや信号の入出力を示す。データや信号は、ＲＡＭ９１４等のメモリ、ＦＤＤ９０４のフレキシブルディスク（ＦＤ）、ＣＤＤ９０５のコンパクトディスク（ＣＤ）、ＨＤＤ９２０の磁気ディスク、光ディスク、ＤＶＤ（Ｄｉｇｉｔａｌ・Ｖｅｒｓａｔｉｌｅ・Ｄｉｓｃ）、あるいは、その他の記録媒体に記録される。また、データや信号は、バス９１２、信号線、ケーブル、あるいは、その他の伝送媒体により伝送される。
【００４５】
本実施の形態の説明において「〜部」として説明するものは、「〜回路」、「〜装置」、「〜機器」であってもよく、また、「〜ステップ」、「〜工程」、「〜手順」、「〜処理」であってもよい。即ち、「〜部」として説明するものは、ＲＯＭ９１３に記憶されたファームウェアで実現されていても構わない。あるいは、「〜部」として説明するものは、ソフトウェアのみ、あるいは、素子、デバイス、基板、配線といったハードウェアのみで実現されていても構わない。あるいは、「〜部」として説明するものは、ソフトウェアとハードウェアとの組み合わせ、あるいは、ソフトウェアとハードウェアとファームウェアとの組み合わせで実現されていても構わない。ファームウェアとソフトウェアは、プログラムとして、フレキシブルディスク、コンパクトディスク、磁気ディスク、光ディスク、ＤＶＤ等の記録媒体に記憶される。プログラムはＣＰＵ９１１により読み出され、ＣＰＵ９１１により実行される。即ち、プログラムは、本実施の形態の説明で述べる「〜部」としてコンピュータを機能させるものである。あるいは、プログラムは、本実施の形態の説明で述べる「〜部」の手順や方法をコンピュータに実行させるものである。
【００４６】
図４は、管理装置２００の動作（本実施の形態に係る管理方法、本実施の形態に係る管理プログラムの処理手順）を示すフローチャートである。
【００４７】
図４において、ステップＳ１０１〜Ｓ１０４の処理は、定期的（例えば、５分ごと、３０分ごと、１時間ごと、あるいは、１日ごと）に繰り返し実行されるものとする。例えば５分ごとに実行されるとした場合、「前回」の処理等から５分経過後に「今回」の処理等が実施されていることになる。
【００４８】
ステップＳ１０１（撮像処理）において、撮像部２０１は、監視カメラ１０２により撮影される倉庫内の特定の区画の映像を、ＬＡＮ等を介して監視カメラ１０２から取得して記憶装置２５２に時系列データとして蓄積する。
【００４９】
上記のように、ステップＳ１０１では、撮像部２０１は、所定の区域（倉庫内の特定の区画等）を時系列に撮像して画像（映像）を生成する。
【００５０】
ステップＳ１０２（認証コード取得処理の一部）において、認証コード取得部２０２は、撮像部２０１が監視カメラ１０２から今回取得した映像（監視カメラ１０２により今回撮影された映像）と、記憶装置２５２に蓄積された時系列データに含まれる、撮像部２０１が監視カメラ１０２から前回取得した映像（監視カメラ１０２により前回撮影された映像）との差分を画像処理により抽出する。認証コード取得部２０２は、抽出した差分を処理装置２５１により分析して、上記区画に置かれた品物の在庫の変化量を算出する。認証コード取得部２０２は、算出した変化量が０であるか否かを処理装置２５１により判定する。
【００５１】
上記のように、ステップＳ１０２では、認証コード取得部２０２は、撮像部２０１が生成する画像の変化を分析し、当該分析結果に基づき、所定の区域（倉庫内の特定の区画等）にて特定の事象が発生したか否かを処理装置２５１により判定する。具体的には、認証コード取得部２０２は、特定の事象として所定の区域に置かれた品物の在庫量の変化があったかどうかを処理装置２５１により判定する。なお、認証コード取得部２０２は、これ以外にも、特定の事象として、例えば、所定の区域にいる人の数の変化があったかどうか、所定の区域において温度が変化したかどうか等を判定してもよい。
【００５２】
ステップＳ１０２において認証コード取得部２０２が算出した変化量が０であった場合（在庫量の変化がないと判定した場合）、ステップＳ１０１に戻る。一方、ステップＳ１０２において認証コード取得部２０２が算出した変化量が０でなかった場合（在庫量の変化があると判定した場合）、ステップＳ１０３に進む。
【００５３】
ステップＳ１０３（認証コード取得処理の一部）において、認証コード取得部２０２は、ネットワーク１０１を介して認証装置３００に対し、認証コードの発行を要求する要求データを送信する。認証装置３００は、ネットワーク１０１を介して認証コード取得部２０２が送信した要求データを受信する。認証装置３００は、受信した要求データに応じて、現在時刻を示す認証時刻情報と現在時刻にしか得られない一意の特定情報とを合成して合成データを生成する。認証装置３００は、生成した合成データのハッシュ値を算出し、算出したハッシュ値を認証コードとして、ネットワーク１０１を介して管理装置２００に送信するとともに、認証時刻情報と特定情報とを認証コードに対応付けて記憶媒体に記憶する。認証コード取得部２０２は、ネットワーク１０１を介して認証装置３００が送信した認証コードを受信する。認証コード取得部２０２は、認証コードを受信した時点から予め定められた制限時間（例えば、１分）以内に、ステップＳ１０１において撮像部２０１が取得した映像（静止画像）を、認証装置３００から受信した認証コードとともに、ネットワーク１０１を介して認証装置３００に送信する。あるいは、認証コード取得部２０２は、ステップＳ１０１と同様の処理を実行させ、撮像部２０１が新たに取得した映像（静止画像）を、認証装置３００から受信した認証コードとともに、ネットワーク１０１を介して認証装置３００に送信する。前述したように、撮像部２０１が新たに取得した映像は、認証コード取得部２０２が認証装置３００から認証コードを受信した後に監視カメラ１０２により撮影された映像であることが望ましく、さらに、認証コード取得部２０２が認証装置３００から認証コードを受信した時点から上記制限時間が経過するまでの間に監視カメラ１０２により撮影された映像であることがより望ましい。認証装置３００は、ネットワーク１０１を介して認証コード取得部２０２が送信した映像と認証コードとを受信する。認証装置３００は、受信した認証コードに対応する認証時刻情報（及び特定情報）を記憶媒体から読み取り、読み取った認証時刻情報が示す時刻と認証コード取得部２０２が送信した映像を受信した時刻との差を計算する。認証装置３００は、計算した差が上記制限時間以下である場合、認証コード取得部２０２が送信した映像は正規の映像であると判断し、当該映像と記憶媒体から読み取った認証時刻情報（及び特定情報）を、認証コード取得部２０２が送信した認証コードに対応付けてデータベース３０１に保管する。
【００５４】
上記のように、ステップＳ１０３では、認証コード取得部２０２は、変化後の画像（ステップＳ１０１において撮像部２０１が取得した映像等でもよいが、望ましくは、認証装置３００から認証コードを受信した時点から制限時間が経過するまでの間に監視カメラ１０２により撮影された映像等）の撮像時刻を認証する認証コードを認証装置３００に発行させて当該認証コードを取得する。具体的には、認証コード取得部２０２は、変化後の画像の撮像時刻を認証する認証コードの発行を認証装置３００へ要求して認証装置３００から発行された認証コードを取得し、当該変化後の画像を当該認証コードとともに認証装置３００へ送信する。認証装置３００は、認証コード取得部２０２から送信された画像と認証コードとを受信し、当該画像を受信した時刻と当該認証コードによって認証される時刻との差が予め定められた制限時間以下である場合、当該画像と当該認証コードによって認証される時刻を示す認証時刻情報とを当該認証コードに対応付けてデータベース３０１に保管する。
【００５５】
ステップＳ１０４（情報保管処理）において、情報管理部２０３は、事象情報として、ステップＳ１０２において認証コード取得部２０２が算出した在庫の変化量を記録したデータを記憶装置２５２に保管する。また、情報管理部２０３は、この事象情報、ステップＳ１０３において認証コード取得部２０２が認証装置３００に送信した映像、この映像の撮影時刻、ステップＳ１０３において認証コード取得部２０２が認証装置３００から取得した認証コード等を対応付けて記憶装置２５２に保管する。このとき、情報管理部２０３は、記憶装置２５２に保管する映像の撮影時刻について、例えば、撮像部２０１が当該映像とともに監視カメラ１０２から当該映像の撮影時刻を示す情報を取得するのであれば、この情報を参照する。あるいは、認証コード取得部２０２が認証装置３００から認証コードに対応する認証時刻情報を取得するのであれば、この認証時刻情報を参照する。あるいは、情報管理部２０３は、撮像部２０１が当該映像を監視カメラ１０２から取得した時刻を当該映像の撮影時刻として扱ってもよい。情報管理部２０３は、記憶装置２５２に保管した事象情報に基づき、品物の在庫量の推移等をビジュアル化したグラフを処理装置２５１により作成する。情報管理部２０３は、記憶装置２５２に保管している事象情報、この事象情報から作成したグラフ、この事象情報に対応付けて記憶装置２５２に保管している映像、撮影時刻、認証コード等を載せた報告書（電子文書）を定期的に処理装置２５１により作成する。情報管理部２０３は、ユーザ端末４００から要求があれば、作成したグラフや報告書を、ネットワーク１０１を介してユーザ端末４００に送信する。前述したように、ユーザ端末４００は、管理装置２００から受信した報告書に載っている映像、撮影時刻、認証コード等を読み取る。ユーザ端末４００は、読み取った認証コードを、ネットワーク１０１を介して認証装置３００に送信する。認証装置３００は、ユーザ端末４００から送信された認証コードを受信し、受信した認証コードに対応する映像と認証時刻情報（及び特定情報）をデータベース３０１から抽出する。そして、認証装置３００は、抽出した映像と認証時刻情報（及び特定情報）を、ネットワーク１０１を介してユーザ端末４００に返信する。ユーザ端末４００は、認証装置３００から返信された映像と認証時刻情報（及び特定情報）を受信して画面に表示する。
【００５６】
上記のように、ステップＳ１０４では、情報管理部２０３は、認証コード取得部２０２が発生したと判定した事象を記録した事象情報と、認証コード取得部２０２が取得した認証コードと、当該認証コードによって認証される時刻を当該事象の発生時刻（映像の撮影時刻）として示す発生時刻情報とを対応付けて記憶装置２５２に保管する。具体的には、情報管理部２０３は、事象情報として認証コード取得部２０２があったと判定した在庫量の変化の量を記録したデータを記憶装置２５２に保管する。認証装置３００は、認証コードによる問い合わせが入力された場合、当該認証コードに対応付けてデータベース３０１に保管した画像と当該認証コードの認証時刻情報とを出力する。
【００５７】
以上のように、本実施の形態によれば、倉庫内の特定の区画等を撮像して監視し、そこに置かれた品物の在庫量の変化等があったことを信憑性の高い情報として記録することが可能となる。
【００５８】
実施の形態２．
本実施の形態について、主に実施の形態１との差異を説明する。
【００５９】
認証装置３００が発行する認証コードは、実施の形態１では、現在時刻を認証するものであったが、本実施の形態では、それだけでなく、さらに、当該認証コードによって認証される時刻における管理装置２００の位置を認証するものである。
【００６０】
図４を用いて、本実施の形態に係る管理装置２００の動作（本実施の形態に係る管理方法、本実施の形態に係る管理プログラムの処理手順）について説明する。
【００６１】
ステップＳ１０１（撮像処理）及びステップＳ１０２（認証コード取得処理の一部）については実施の形態１のものと同様である。
【００６２】
ステップＳ１０３（認証コード取得処理の一部）において、認証コード取得部２０２は、ネットワーク１０１を介して認証装置３００に対し、認証コードの発行を要求する要求データとともに、管理装置２００の現在位置を示す位置情報を送信する。認証コード取得部２０２は、位置情報を、例えばＧＰＳ（Ｇｌｏｂａｌ・Ｐｏｓｉｔｉｏｎｉｎｇ・Ｓｙｓｔｅｍ）受信機を用いてＧＰＳ衛星から取得する。この場合、位置情報は、具体的には測位情報（緯度・経度を示す情報）である。認証装置３００は、ネットワーク１０１を介して認証コード取得部２０２が送信した要求データと位置情報とを受信する。認証装置３００は、受信した要求データに応じて、受信した位置情報と現在時刻を示す認証時刻情報と現在時刻にしか得られない一意の特定情報とを合成して合成データを生成する。認証装置３００は、生成した合成データのハッシュ値を算出し、算出したハッシュ値を認証コードとして、ネットワーク１０１を介して管理装置２００に送信するとともに、位置情報と認証時刻情報と特定情報とを認証コードに対応付けて記憶媒体に記憶する。認証コード取得部２０２は、ネットワーク１０１を介して認証装置３００が送信した認証コードを受信する。認証コード取得部２０２は、実施の形態１と同様に、認証コードを受信した時点から予め定められた制限時間（例えば、１分）以内に、映像と認証コードとを、ネットワーク１０１を介して認証装置３００に送信する。認証装置３００は、ネットワーク１０１を介して認証コード取得部２０２が送信した映像と認証コードとを受信する。認証装置３００は、受信した認証コードに対応する位置情報及び認証時刻情報（及び特定情報）を記憶媒体から読み取り、読み取った認証時刻情報が示す時刻と認証コード取得部２０２が送信した映像を受信した時刻との差を計算する。認証装置３００は、計算した差が上記制限時間以下である場合、認証コード取得部２０２が送信した映像は正規の映像であると判断し、当該映像と記憶媒体から読み取った位置情報及び認証時刻情報（及び特定情報）を、認証コード取得部２０２が送信した認証コードに対応付けてデータベース３０１に保管する。
【００６３】
ステップＳ１０４（情報保管処理）において、情報管理部２０３は、実施の形態１と同様に、事象情報として、ステップＳ１０２において認証コード取得部２０２が算出した在庫の変化量を記録したデータを記憶装置２５２に保管する。また、情報管理部２０３は、この事象情報、ステップＳ１０３において認証コード取得部２０２が認証装置３００に送信した位置情報が示す緯度・経度、ステップＳ１０３において認証コード取得部２０２が認証装置３００に送信した映像、この映像の撮影時刻、ステップＳ１０３において認証コード取得部２０２が認証装置３００から取得した認証コード等を対応付けて記憶装置２５２に保管する。情報管理部２０３は、記憶装置２５２に保管した事象情報に基づき、品物の在庫量の推移等をビジュアル化したグラフを処理装置２５１により作成する。情報管理部２０３は、記憶装置２５２に保管している事象情報、この事象情報から作成したグラフ、この事象情報に対応付けて記憶装置２５２に保管している緯度・経度、映像、撮影時刻、認証コード等を載せた報告書（電子文書）を定期的に処理装置２５１により作成する。情報管理部２０３は、ユーザ端末４００から要求があれば、作成したグラフや報告書を、ネットワーク１０１を介してユーザ端末４００に送信する。前述したように、ユーザ端末４００は、管理装置２００から受信した報告書に載っている緯度・経度、映像、撮影時刻、認証コード等を読み取る。ユーザ端末４００は、読み取った認証コードを、ネットワーク１０１を介して認証装置３００に送信する。認証装置３００は、ユーザ端末４００から送信された認証コードを受信し、受信した認証コードに対応する映像と位置情報及び認証時刻情報（及び特定情報）をデータベース３０１から抽出する。そして、認証装置３００は、抽出した映像と位置情報及び認証時刻情報（及び特定情報）を、ネットワーク１０１を介してユーザ端末４００に返信する。ユーザ端末４００は、認証装置３００から返信された映像と位置情報及び認証時刻情報（及び特定情報）を受信して画面に表示する。これによって、ユーザは報告書に載っている撮影時刻が正しいかどうかだけでなく、撮影位置（実際には管理装置２００の位置）が正しいかどうかを、確実に検証することができる。
【００６４】
なお、位置情報は、管理装置２００の位置を示すものでなく、監視カメラ１０２の位置を示すものであってもよい（例えば、監視カメラ１０２にＧＰＳ受信機を設置しておき、管理装置２００は、このＧＰＳ受信機がＧＰＳ衛星から受信する測位情報を取得する）。この場合、ユーザは実際の撮影位置を検証することができる。
【符号の説明】
【００６５】
１００  情報管理システム、１０１  ネットワーク、１０２  監視カメラ、２００  管理装置、２０１  撮像部、２０２  認証コード取得部、２０３  情報管理部、２５１  処理装置、２５２  記憶装置、２５３  入力装置、２５４  出力装置、３００  認証装置、３０１  データベース、４００  ユーザ端末、９０１  ＬＣＤ、９０２  キーボード、９０３  マウス、９０４  ＦＤＤ、９０５  ＣＤＤ、９０６  プリンタ、９１１  ＣＰＵ、９１２  バス、９１３  ＲＯＭ、９１４  ＲＡＭ、９１５  通信ボード、９２０  ＨＤＤ、９２１  オペレーティングシステム、９２２  ウィンドウシステム、９２３  プログラム群、９２４  ファイル群。
【図１】
2011061586.tif 000003
【図２】
2011061586.tif 000004
【図３】
2011061586.tif 000005
【図４】
2011061586.tif 000006